Podtech/llm-jp-corpus-v4-ja_patent huggingface dataset:
【手続補正書】
【提出日】令和2年6月28日(2020.6.28)
【手続補正１】
【補正対象書類名】特許請求の範囲
【補正対象項目名】請求項１
【補正方法】変更
【補正の内容】
【請求項１】
一側面から他側面に流体を流通させるプリーツタイプフィルタに用いられるスペーサであ って、 プリーツ反の前記他側面側のプリーツ部間に取り付けられ、 隣接する他のプリーツ部間に取り付けられる他のスペーサとは連続せず、 前記プリーツ反の流入側折り返し部の前記他側面側に対向する位置に配置される谷部と、 前記プリーツ反の流出側折り返し部に近接する位置に配置される開放部と、 前記谷部と前記開放部の間に配置される梁部を有し、 前記開放部と前記梁部を結ぶ接続材は梁部の開放部側端部を支点とする弾性材である、 スペーサ。
【手続補正２】
【補正対象書類名】特許請求の範囲
【補正対象項目名】請求項２
【補正方法】変更
【補正の内容】
【請求項２】
内周側から外周側に流体を流通させる円筒状に成形されたプリーツタイプフィルタに用い られるスペーサであって、 円筒状に成型したプリーツ反の外周側の各プリーツ部間に取り付けられ、 隣接する他のプリーツ部間に取り付けられる他のスペーサとは連続せず、 前記プリーツ反の内周側折り返し部に対向する位置に配置される谷部と、 前記プリーツ反の外周側折り返し部に近接する位置に配置される開放部と、 前記谷部と前記開放部の間に配置される梁部を有し、 前記開放部と前記梁部を結ぶ接続材は梁部の開放部側端部を支点とする弾性材である、 スペーサ。
【手続補正３】
【補正対象書類名】明細書
【補正対象項目名】００１２
【補正方法】変更
【補正の内容】
【００１２】
本発明は上記の不具合を解消するためになされたものであり、一側面から他側面に流体を 流通させるプリーツタイプフィルタに用いられるスペーサであって、プリーツ反の前記他 側面側のプリーツ部間に取り付けられ、隣接する他のプリーツ部間に取り付けられる他の スペーサとは連続せず、前記プリーツ反の流入側折り返し部の前記他側面側に対向する位 置に配置される谷部と、前記プリーツ反の流出側折り返し部に近接する位置に配置される 開放部と、前記谷部と前記開放部の間に配置される梁部を有し、前記開放部と前記梁部を 結ぶ接続材は梁部の開放部側端部を支点とする弾性材である、スペーサである。
【手続補正４】
【補正対象書類名】明細書
【補正対象項目名】００１３
【補正方法】変更
【補正の内容】
【００１３】
又、本発明は内周側から外周側に流体を流通させる円筒状に成形されたプリーツタイプフ ィルタに用いられるスペーサであって、円筒状に成型したプリーツ反の外周側の各プリー ツ部間に取り付けられ、隣接する他のプリーツ部間に取り付けられる他のスペーサとは連 続せず、前記プリーツ反の内周側折り返し部に対向する位置に配置される谷部と、前記プ リーツ反の外周側折り返し部に近接する位置に配置される開放部と、前記谷部と前記開放 部の間に配置される梁部を有し、前記開放部と前記梁部を結ぶ接続材は梁部の開放部側端 部を支点とする弾性材である、スペーサである。
【手続補正５】
【補正対象書類名】明細書
【補正対象項目名】００２６
【補正方法】変更
【補正の内容】
【００２６】
図２において、プリーツ反２の流出側のプリーツ部間２３にスペーサ３が独立に挿入され 、プリーツ反２の流入側折り返し部２１に対向してスペーサ３の谷部３２が配置されてい る。これにより、プリーツ部間２３の間隔が狭い流入側折り返し部２１付近とプリーツの 間隔が広い流出側折り返し部２２付近において、空間内に一様にスペーサが配置されて流 体の流通抵抗によるプリーツ反の膨張を均一に規制することができる。又、スペーサの開 放部３１と谷部３２の間には梁部３３が図示のように設けられ、プリーツ反が流体の圧力により膨張した際の開放部の二つの端部の密着を防止する。
【手続補正６】
【補正対象書類名】明細書
【補正対象項目名】００２７
【補正方法】変更
【補正の内容】
【００２７】
開放部３１と梁部３３との間は接続材３４であり、梁部３３の開放部３１側端部を支点とする弾性材となっている。この接続材３４が有する弾性により、流体の流量や供給圧力が 高頻度に脈動する場合に主濾過材に膨らみや収縮が生じた場合であっても、その動きをス ペーサが規制・吸収することができる。そのため、主濾過材のプリーツ間隔を一定に保つ とともにプリーツ部の密着による有効濾過面積の減少を防止することができる。
【手続補正７】
【補正対象書類名】明細書
【補正対象項目名】００３６
【補正方法】変更
【補正の内容】
【００３６】
１，１０  フィルタ
２        プリーツ反
２１      流入側折り返し部
２２      流出側折り返し部
２３      プリーツ部間
３        スペーサ
３１      開放部
３２      谷部
３３      梁部
３４      接続材
３５      爪部
３６      未接合部 
４        外巻反 
５        エンドプレート 
６        内周側（流入側）
７        外周側（流出側）
【手続補正書】
【提出日】令和2年6月26日(2020.6.26)
【手続補正１】
【補正対象書類名】特許請求の範囲
【補正対象項目名】全文
【補正方法】変更
【補正の内容】
【特許請求の範囲】
【請求項１】
遊技球を検知する所定検知手段と、
前記所定検知手段と電気的に接続され、遊技に対する遊技価値を付与するための処理を実行する遊技価値付与手段と、
前記遊技価値付与手段と電気的に接続され、所定の処理を実行する処理実行手段と、
を備える遊技機において、
前記遊技価値付与手段は、
前記遊技価値を付与するための処理に用いられる情報であって、前記所定検知手段の検知に対して参照される情報である参照用情報を記憶する第１参照用情報記憶手段と、
本遊技機への電力の所定の供給が開始された後であって遊技を進行させるための所定処理の実行を開始する前に、前記第１参照用情報記憶手段に記憶されている前記参照用情報に対応した参照用情報信号を前記処理実行手段に対して送信する第１送信手段と、
前記所定検知手段による検知に基づいて取得された情報である入球情報に基づく所定情報信号を前記処理実行手段に対して送信する第２送信手段と、
を備え、
前記処理実行手段は、
前記遊技価値付与手段から送信された前記参照用情報信号に対応した参照用情報を記憶する第２参照用情報記憶手段と、
前記第２送信手段から送信された前記所定情報信号、及び前記第２参照用情報記憶手段に記憶された前記参照用情報に基づいて、前記所定の処理を実行する実行手段と、
前記実行手段による前記所定の処理の処理結果に関する情報である処理結果情報を記憶する処理結果情報記憶手段と、
を備えていることを特徴とする遊技機。
【手続補正２】
【補正対象書類名】明細書
【補正対象項目名】０００５
【補正方法】変更
【補正の内容】
【０００５】
ここで、上記例示等のような遊技機においては遊技が好適に行われる必要があり、この点について未だ改良の余地がある。
【手続補正３】
【補正対象書類名】明細書
【補正対象項目名】０００６
【補正方法】変更
【補正の内容】
【０００６】
本発明は、上記例示した事情等に鑑みてなされたものであり、遊技が好適に行われるようにすることが可能な遊技機を提供することを目的とするものである。
【手続補正４】
【補正対象書類名】明細書
【補正対象項目名】０００７
【補正方法】変更
【補正の内容】
【０００７】
上記課題を解決すべく請求項１記載の発明は、遊技球を検知する所定検知手段と、
前記所定検知手段と電気的に接続され、遊技に対する遊技価値を付与するための処理を実行する遊技価値付与手段と、
前記遊技価値付与手段と電気的に接続され、所定の処理を実行する処理実行手段と、
を備える遊技機において、
前記遊技価値付与手段は、
前記遊技価値を付与するための処理に用いられる情報であって、前記所定検知手段の検知に対して参照される情報である参照用情報を記憶する第１参照用情報記憶手段と、
本遊技機への電力の所定の供給が開始された後であって遊技を進行させるための所定処理の実行を開始する前に、前記第１参照用情報記憶手段に記憶されている前記参照用情報に対応した参照用情報信号を前記処理実行手段に対して送信する第１送信手段と、
前記所定検知手段による検知に基づいて取得された情報である入球情報に基づく所定情報信号を前記処理実行手段に対して送信する第２送信手段と、
を備え、
前記処理実行手段は、
前記遊技価値付与手段から送信された前記参照用情報信号に対応した参照用情報を記憶する第２参照用情報記憶手段と、
前記第２送信手段から送信された前記所定情報信号、及び前記第２参照用情報記憶手段に記憶された前記参照用情報に基づいて、前記所定の処理を実行する実行手段と、
前記実行手段による前記所定の処理の処理結果に関する情報である処理結果情報を記憶する処理結果情報記憶手段と、
を備えていることを特徴とする。
【手続補正５】
【補正対象書類名】明細書
【補正対象項目名】０００８
【補正方法】変更
【補正の内容】
【０００８】
本発明によれば、遊技が好適に行われるようにすることが可能となる。
【手続補正書】
【提出日】令和2年8月5日(2020.8.5)
【手続補正１】
【補正対象書類名】特許請求の範囲
【補正対象項目名】全文
【補正方法】変更
【補正の内容】
【特許請求の範囲】
【請求項１】
遊技が可能な遊技機であって、
電子部品が実装された基板に設けられ、信号配線を着脱自在に接続可能な配線接続手段と、
前記基板を収納可能な基板ケースと、
前記電子部品から発せられた熱を放熱する放熱手段と、を備え、
前記配線接続手段は、
前記信号配線の信号伝送線と接続可能な信号端子と、
一対の接地端子と、を含み、
前記一対の接地端子は、前記信号端子の両側を挟む位置で前記基板上に表面実装され、
前記基板ケースとしてのカバー部材は、前記一対の接地端子および前記信号端子の先端を被覆する、
ことを特徴とする遊技機。
【手続補正２】
【補正対象書類名】明細書
【補正対象項目名】０００７
【補正方法】変更
【補正の内容】
【０００７】
（１）上記目的を達成するため、本願に係る遊技機は、遊技が可能な遊技機であって、電子部品が実装された基板に設けられ、信号配線を着脱自在に接続可能な配線接続手段と、前記基板を収納可能な基板ケースと、前記電子部品から発せられた熱を放熱する放熱手段（例えば、ヒートシンク４５ＡＫ４０）と、を備え、前記配線接続手段は、前記信号配線の信号伝送線と接続可能な信号端子と、一対の接地端子と、を含み、前記一対の接地端子は、前記信号端子の両側を挟む位置で前記基板上に表面実装され、前記基板ケースとしてのカバー部材は、前記一対の接地端子および前記信号端子の先端を被覆する。
【手続補正書】
【提出日】令和2年8月20日(2020.8.20)
【手続補正１】
【補正対象書類名】特許請求の範囲
【補正対象項目名】全文
【補正方法】変更
【補正の内容】
【特許請求の範囲】
【請求項１】
遊技を行う遊技機であって、
可変表示を実行する可変表示手段と、
少なくとも可変表示の実行中に、遊技者による調整動作に応じて演出設定を調整可能な調整手段と、
第１制御手段と、
前記第１制御手段と通信可能な第２制御手段と、を備え、
前記第１制御手段は、
所定の場合に、前記第２制御手段に対してリセット信号を第１期間にわたって供給し、
前記第２制御手段と特定の通信ができない期間が特定期間を超えた場合に、当該第２制御手段に対して前記リセット信号を前記第１期間よりも長い第２期間にわたって連続して供給し、
前記特定の通信は、前記所定の場合に前記リセット信号が前記第１期間にわたって供給され、前記第２制御手段がリセットされたあとの通信であり、
前記第２制御手段が発熱により異常となったときに、前記特定の通信ができない期間が前記特定期間を超え、
前記第１制御手段は、前記特定の通信ができない期間が前記特定期間を超えた場合に、前記リセット信号を前記第２期間にわたって供給することで前記第２制御手段の動作を前記第２期間にわたって停止させ、
少なくとも前記第２期間において、前記第２制御手段を冷却する冷却手段をさらに備える、
ことを特徴とする遊技機。
【手続補正２】
【補正対象書類名】明細書
【補正対象項目名】０００６
【補正方法】変更
【補正の内容】
【０００６】
（Ａ）遊技を行う遊技機であって、
可変表示を実行する可変表示手段と、
少なくとも可変表示の実行中に、遊技者による調整動作に応じて演出設定を調整可能な調整手段と、
第１制御手段と、
前記第１制御手段と通信可能な第２制御手段と、を備え、
前記第１制御手段は、
所定の場合に、前記第２制御手段に対してリセット信号を第１期間にわたって供給し、
前記第２制御手段と特定の通信ができない期間が特定期間を超えた場合に、当該第２制御手段に対して前記リセット信号を前記第１期間よりも長い第２期間にわたって連続して供給し、
前記特定の通信は、前記所定の場合に前記リセット信号が前記第１期間にわたって供給され、前記第２制御手段がリセットされたあとの通信であり、
前記第２制御手段が発熱により異常となったときに、前記特定の通信ができない期間が前記特定期間を超え、
前記第１制御手段は、前記特定の通信ができない期間が前記特定期間を超えた場合に、前記リセット信号を前記第２期間にわたって供給することで前記第２制御手段の動作を前記第２期間にわたって停止させ、
少なくとも前記第２期間において、前記第２制御手段を冷却する冷却手段をさらに備える、
ことを特徴とする。
（１）上記目的を達成するため、他の態様に係る遊技機は、
遊技を行う遊技機（例えば、パチンコ遊技機１など）であって、
第１制御手段（例えば、第１演出制御基板１２など）と、
前記第１制御手段と通信可能な第２制御手段（例えば、表示制御部３１のＶＤＰなど）と、を備え、
前記第１制御手段は、前記第２制御手段と所定の通信ができない期間（例えば、立ち上がり信号を受信できない期間など）が特定期間（例えば、１０秒間など）を超えたときに、当該第２制御手段に対して特定信号（例えば、リセット信号など）を所定期間（例えば、６０秒間など）にわたって連続して供給する、
ことを特徴とする。
【手続補正書】
【提出日】令和2年8月28日(2020.8.28)
【手続補正１】
【補正対象書類名】特許請求の範囲
【補正対象項目名】全文
【補正方法】変更
【補正の内容】
【特許請求の範囲】
【請求項１】
変動表示を行ない、遊技者にとって有利な有利状態に制御可能な遊技機であって、
所定状態において遊技媒体が進入可能となる可変手段と、
前記可変手段内に設けられ、遊技媒体が進入可能な特定領域と、
変動表示結果に基づいて、前記有利状態に制御する第１状態制御手段と、
変動表示結果に基づいて、前記所定状態に制御して前記可変手段内の前記特定領域に遊技媒体が進入可能な状態とし、当該所定状態において前記特定領域に遊技媒体が進入したことに基づいて前記有利状態に制御する第２状態制御手段と、
前記所定状態において前記特定領域に遊技媒体が進入したことに基づいて、所定演出を実行可能な所定演出実行手段と、を備え、
前記所定状態は、所定期間が経過したこと、または、前記可変手段に所定数の遊技媒体が進入したことに基づいて終了し、
前記所定演出実行手段により前記所定演出が実行された後、前記可変手段に進入した遊技媒体の数に応じて、実行中の前記所定演出の演出態様を変化させることが可能な所定演出変更手段をさらに備え、
前記所定演出実行手段は、特別な遊技価値の付与を示唆する特別演出態様に変化させることが可能である、
ことを特徴とする、遊技機。
【手続補正２】
【補正対象書類名】明細書
【補正対象項目名】０００７
【補正方法】変更
【補正の内容】
【０００７】
（Ａ）  変動表示を行ない、遊技者にとって有利な有利状態に制御可能な遊技機であって、
所定状態において遊技媒体が進入可能となる可変手段と、
前記可変手段内に設けられ、遊技媒体が進入可能な特定領域と、
変動表示結果に基づいて、前記有利状態に制御する第１状態制御手段と、
変動表示結果に基づいて、前記所定状態に制御して前記可変手段内の前記特定領域に遊技媒体が進入可能な状態とし、当該所定状態において前記特定領域に遊技媒体が進入したことに基づいて前記有利状態に制御する第２状態制御手段と、
前記所定状態において前記特定領域に遊技媒体が進入したことに基づいて、所定演出を実行可能な所定演出実行手段と、を備え、
前記所定状態は、所定期間が経過したこと、または、前記可変手段に所定数の遊技媒体が進入したことに基づいて終了し、
前記所定演出実行手段により前記所定演出が実行された後、前記可変手段に進入した遊技媒体の数に応じて、実行中の前記所定演出の演出態様を変化させることが可能な所定演出変更手段をさらに備え、
前記所定演出実行手段は、特別な遊技価値の付与を示唆する特別演出態様に変化させることが可能である、
ことを特徴とする。
（１）  変動表示を行ない、遊技者にとって有利な有利状態（大当り遊技状態等）に制御可能な遊技機（パチンコ遊技機１等）であって、
所定状態において遊技媒体が進入可能となる可変入賞手段と（Ｖ判定入賞装置８７等）、
前記可変入賞手段内に設けられ、遊技媒体が進入可能な特定領域（Ｖ入賞領域８７０等）と、
変動表示結果に基づいて、有利状態（図柄大当り等）に制御する第１状態制御手段（遊技制御用マイクロコンピュータ５６０、図１０のＳ３０５〜Ｓ３０７等）と、
変動表示結果に基づいて、前記所定状態に制御して前記可変入賞手段内の前記特定領域に遊技媒体が進入（Ｖ入賞等）可能な状態（小当り状態等）とし、当該所定状態において前記特定領域に遊技媒体が進入したことに基づいて前記有利状態（小当り経由大当り等）に制御する第２状態制御手段（遊技制御用マイクロコンピュータ５６０、図１０のＳ３０８〜Ｓ３１０，図１０のＳ３０５〜Ｓ３０７等）と、
前記所定状態において前記特定領域に遊技媒体が進入したことに基づいて、所定演出（図２０のラウンド数示唆演出としてＶ入賞オーラ画像９５を表示する演出等）を実行可能な所定演出手段（演出制御用マイクロコンピュータ１００、図２６のＳ８４２〜Ｓ８４４等）とを備え、
前記所定状態は、所定期間（０．１秒×１０回の開放および１秒間の閉鎖を繰返す期間等）が経過したこと、または、前記可変入賞手段に所定数（１０個等）の遊技媒体が進入したことに基づいて終了し、
前記所定演出手段は、前記特定領域に遊技媒体が進入した後、前記可変入賞手段に進入した遊技媒体の数に応じて、前記所定演出の演出態様を変化させる（図２４のように、小当り遊技状態中のＶ判定入賞装置８７への入賞個数（１個〜１０個等等）に応じて、図２０のラウンド数示唆演出において、Ｖ入賞オーラ画像９５の色が変化する等）。
【手続補正書】
【提出日】令和2年8月28日(2020.8.28)
【手続補正１】
【補正対象書類名】特許請求の範囲
【補正対象項目名】全文
【補正方法】変更
【補正の内容】
【特許請求の範囲】
【請求項１】
変動表示を行ない、遊技者にとって有利な有利状態に制御可能な遊技機であって、
所定状態において遊技媒体が進入可能となる可変手段と、
前記可変手段内に設けられ、遊技媒体が進入可能な特定領域と、
変動表示結果が特定表示結果となったことに基づいて、前記有利状態に制御する第１状態制御手段と、
変動表示結果が所定表示結果となったことに基づいて、前記所定状態に制御して前記可変手段内の前記特定領域に遊技媒体が進入可能な状態とし、当該所定状態において前記特定領域に遊技媒体が進入したことに基づいて前記有利状態に制御する第２状態制御手段と、
変動表示に関する情報を保留記憶情報として記憶可能な保留記憶手段と、
未だ開始されていない変動表示について前記特定表示結果となること、または、前記所定表示結果となることを判定可能な先読み判定手段と、
前記先読み判定手段の判定結果に基づいて、特別演出を実行可能な特別演出実行手段と、を備え、
前記所定状態は、所定期間が経過したこと、または、前記可変手段に所定数の遊技媒体が進入したことに基づいて終了し、
前記特別演出実行手段は、前記所定状態において前記特定領域に遊技媒体が進入したときに、特別な保留記憶情報が含まれていることに基づいて、前記特別演出を実行可能であり、
前記特別な保留記憶情報は、前記特定表示結果になると判定された保留記憶情報、または、前記所定表示結果になると判定された保留記憶情報のうち少なくともいずれか一方であり、
前記特別演出実行手段は、
前記特別な保留記憶情報の数を示唆する演出態様で前記特別演出を実行可能であり、
前記所定状態中と、前記有利状態の開始前後の特定期間中とに跨って前記特別演出を実行可能であり、前記所定状態中において前記所定状態が終了するまでの期間の長さによって内容が変化しない期間調整画像を表示する、
ことを特徴とする、遊技機。
【手続補正２】
【補正対象書類名】明細書
【補正対象項目名】０００８
【補正方法】変更
【補正の内容】
【０００８】
（Ａ）  変動表示を行ない、遊技者にとって有利な有利状態に制御可能な遊技機であって、
所定状態において遊技媒体が進入可能となる可変手段と、
前記可変手段内に設けられ、遊技媒体が進入可能な特定領域と、
変動表示結果が特定表示結果となったことに基づいて、前記有利状態に制御する第１状態制御手段と、
変動表示結果が所定表示結果となったことに基づいて、前記所定状態に制御して前記可変手段内の前記特定領域に遊技媒体が進入可能な状態とし、当該所定状態において前記特定領域に遊技媒体が進入したことに基づいて前記有利状態に制御する第２状態制御手段と、
変動表示に関する情報を保留記憶情報として記憶可能な保留記憶手段と、
未だ開始されていない変動表示について前記特定表示結果となること、または、前記所定表示結果となることを判定可能な先読み判定手段と、
前記先読み判定手段の判定結果に基づいて、特別演出を実行可能な特別演出実行手段と、を備え、
前記所定状態は、所定期間が経過したこと、または、前記可変手段に所定数の遊技媒体が進入したことに基づいて終了し、
前記特別演出実行手段は、前記所定状態において前記特定領域に遊技媒体が進入したときに、特別な保留記憶情報が含まれていることに基づいて、前記特別演出を実行可能であり、
前記特別な保留記憶情報は、前記特定表示結果になると判定された保留記憶情報、または、前記所定表示結果になると判定された保留記憶情報のうち少なくともいずれか一方であり、
前記特別演出実行手段は、
前記特別な保留記憶情報の数を示唆する演出態様で前記特別演出を実行可能であり、
前記所定状態中と、前記有利状態の開始前後の特定期間中とに跨って前記特別演出を実行可能であり、前記所定状態中において前記所定状態が終了するまでの期間の長さによって内容が変化しない期間調整画像を表示する、
ことを特徴とする。
（１）  変動表示を行ない、遊技者にとって有利な有利状態（大当り遊技状態等）に制御可能な遊技機（パチンコ遊技機１等）であって、
所定状態において遊技媒体が進入可能となる可変入賞手段と（Ｖ判定入賞装置８７等）、
前記可変入賞手段内に設けられ、遊技媒体が進入可能な特定領域（Ｖ入賞領域８７０等）と、
変動表示結果が特定表示結果となったことに基づいて、有利状態（図柄大当り等）に制御する第１状態制御手段（遊技制御用マイクロコンピュータ５６０、図９のＳ３０５〜Ｓ３０７等）と、
変動表示結果が所定表示結果となったことに基づいて、前記所定状態に制御して前記可変入賞手段内の前記特定領域に遊技媒体が進入（Ｖ入賞等）可能な状態（小当り状態等）とし、当該所定状態において前記特定領域に遊技媒体が進入したことに基づいて前記有利状態（小当り経由大当り等）に制御する第２状態制御手段（遊技制御用マイクロコンピュータ５６０、図９のＳ３０８〜Ｓ３１０，Ｓ３０５〜Ｓ３０７等）と、
変動表示に関する情報を保留記憶情報として記憶する保留記憶手段（遊技制御用マイクロコンピュータ５６０、ＲＡＭ５５、保留記憶バッファ等）と、
未だ開始されていない変動表示について前記特定表示結果となるか、または、前記所定表示結果となるかを判定する先読み判定手段（遊技制御用マイクロコンピュータ５６０、図１１のＳ１２１５，Ｓ１２２５等）と、
前記先読み判定手段の判定結果に基づいて、特別演出（図２１の保留連報知演出等）を実行可能な特別演出手段（演出制御用マイクロコンピュータ１００、図２７のＳ８６３，Ｓ８６４、図２８のＳ８７３，Ｓ８７４等））とを備え、
前記所定状態は、所定期間（０．１秒×１０回の開放および１秒間の閉鎖を繰返す期間等）が経過したこと、または、前記可変入賞手段に所定数（１０個等）の遊技媒体が進入したことに基づいて終了し、
前記特別演出手段は、前記所定状態において前記特定領域に遊技媒体が進入したときに、前記特定表示結果になると判定された保留記憶情報、または、前記所定表示結果になると判定された保留記憶情報のうち少なくともいずれか一方が含まれていることに基づいて、前記特別演出を実行可能である（図２１（Ｂ），（Ｃ），（Ｅ）、図２５のＳ８５５〜Ｓ８５７、図２７のＳ８６３，Ｓ８６４、図２８のＳ８７３，Ｓ８７４等）。
【手続補正書】
【提出日】令和2年8月28日(2020.8.28)
【手続補正１】
【補正対象書類名】特許請求の範囲
【補正対象項目名】全文
【補正方法】変更
【補正の内容】
【特許請求の範囲】
【請求項１】
識別情報の可変表示を行い、遊技者にとって有利な有利状態に制御可能な遊技機であって、
前記有利状態に制御される可能性を示唆する特定演出を実行可能な特定演出実行手段と、
複数段階に態様を変化させることによって期待度を示唆する示唆表示を表示可能な示唆表示手段と、
前記示唆表示の態様を変化させるための特別演出を実行可能な特別演出実行手段と、を備え、
前記特別演出の実行タイミングとして、リーチ状態の成立前と、リーチ状態の成立後と、を含み、
前記特別演出の実行タイミングにより前記有利状態に制御される期待度が異なり、
前記特別演出実行手段は、
前記特別演出として、第１特別演出と、該第１特別演出よりも前記示唆表示の態様を高い段階に変化させる割合が高い第２特別演出と、を実行可能であり、
第１特別画像を前記示唆表示に対して作用させる態様にて前記第１特別演出を実行し、前記第１特別画像とは異なる第２特別画像を前記示唆表示に対して作用させる態様にて前記第２特別演出を実行し、
前記第２特別演出を実行する場合は、前記第１特別演出を実行する場合よりも前記示唆表示に対して作用させたことを認識しやすい態様にて前記示唆表示の態様を変化させ、
前記示唆表示の態様の段階的な変化に関連して、前記示唆表示とは異なる関連表示の態様を変化させることが可能であり、
前記特定演出が実行されるときに、前記第２特別演出を実行可能であり、
前記特定演出よりも優先した態様により前記第２特別演出を実行可能である
ことを特徴とする遊技機。
【手続補正２】
【補正対象書類名】明細書
【補正対象項目名】００１１
【補正方法】変更
【補正の内容】
【００１１】
（手段Ａ）本発明による遊技機は、識別情報の可変表示を行い、遊技者にとって有利な有利状態に制御可能な遊技機であって、前記有利状態に制御される可能性を示唆する特定演出を実行可能な特定演出実行手段と、複数段階に態様を変化させることによって期待度を示唆する示唆表示を表示可能な示唆表示手段と、前記示唆表示の態様を変化させるための特別演出を実行可能な特別演出実行手段と、を備え、前記特別演出の実行タイミングとして、リーチ状態の成立前と、リーチ状態の成立後と、を含み、前記特別演出の実行タイミングにより前記有利状態に制御される期待度が異なり、前記特別演出実行手段は、前記特別演出として、第１特別演出と、該第１特別演出よりも前記示唆表示の態様を高い段階に変化させる割合が高い第２特別演出と、を実行可能であり、第１特別画像を前記示唆表示に対して作用させる態様にて前記第１特別演出を実行し、前記第１特別画像とは異なる第２特別画像を前記示唆表示に対して作用させる態様にて前記第２特別演出を実行し、前記第２特別演出を実行する場合は、前記第１特別演出を実行する場合よりも前記示唆表示に対して作用させたことを認識しやすい態様にて前記示唆表示の態様を変化させ、前記示唆表示の態様の段階的な変化に関連して、前記示唆表示とは異なる関連表示の態様を変化させることが可能であり、前記特定演出が実行されるときに、前記第２特別演出を実行可能であり、前記特定演出よりも優先した態様により前記第２特別演出を実行可能であることを特徴とする。
（手段１）さらに、他の遊技機は、遊技者にとって有利な有利状態（例えば、大当り遊技状態）に制御可能な遊技機であって、有利状態に制御される可能性を報知する特定演出（例えば、スーパーリーチ演出）を実行可能な特定演出実行手段（例えば、演出制御用マイクロコンピュータ１００におけるステップＳ８００８，Ｓ８００９でスーパーリーチ演出を含むプロセステーブルを選択してステップＳ８１０５を実行する部分）と、複数段階に態様を変化させることによって期待度を示唆する示唆表示（例えば、メータ表示領域９０に表示されるメータ表示）を表示可能な示唆表示手段（例えば、演出制御用マイクロコンピュータ１００におけるステップＳ８００８，Ｓ８００９でメータ表示を含むプロセステーブルを選択してステップＳ８１０５を実行する部分）と、特定演出が実行される場合に、示唆表示の態様を変化させるための特別演出（例えば、特別メータ表示変化演出）を実行可能な特別演出実行手段（例えば、演出制御用マイクロコンピュータ１００におけるステップＳ８００９で特別メータ表示変化演出を含むプロセステーブルを選択してステップＳ８１０５を実行する部分）とを備え、特別演出実行手段は、特定演出よりも優先した態様により特別演出を実行可能である（例えば、図５２に示すように、スーパーリーチ演出を中断して特別メータ表示変化演出を実行する）ことを特徴とする。そのような構成によれば、特定演出よりも優先した態様により示唆表示の態様を変化させることができるので、特定演出が実行される場合においても示唆表示の態様の変化に注目させることができる。
【手続補正書】
【提出日】令和2年8月27日(2020.8.27)
【手続補正１】
【補正対象書類名】特許請求の範囲
【補正対象項目名】全文
【補正方法】変更
【補正の内容】
【特許請求の範囲】
【請求項１】
遊技球が入球可能な主遊技始動口と、
閉状態と開状態とを採り得る可変入賞口と、
主遊技識別情報を表示可能な主遊技識別情報表示部と、
主遊技始動口への入球に基づき、主遊技情報を取得する取得手段と、
変動表示開始条件が充足した場合に、取得手段が取得した主遊技情報に基づいて、可変入賞口開放遊技を行うか否かの判定を行う特別遊技判定手段と、
遊技が行われていない状況で所定時間が経過した場合に遊技待機演出を行う演出制御手段と、
遊技に係る情報を報知する報知手段と、
設定値を設定可能な設定変更状態と、
設定値を確認可能な設定表示状態と
を有し、
設定値として１つの設定値のみを有しており、
設定変更状態では、前記１つの設定値のみが設定可能に構成され、
設定変更状態及び設定表示状態では、前記所定時間が経過した場合においても、前記遊技待機演出を行わないよう構成されている
ことを特徴とするぱちんこ遊技機。
【手続補正２】
【補正対象書類名】明細書
【補正対象項目名】０００５
【補正方法】変更
【補正の内容】
【０００５】
本態様に係るぱちんこ遊技機は、
遊技球が入球可能な主遊技始動口と、
閉状態と開状態とを採り得る可変入賞口と、
主遊技識別情報を表示可能な主遊技識別情報表示部と、
主遊技始動口への入球に基づき、主遊技情報を取得する取得手段と、
変動表示開始条件が充足した場合に、取得手段が取得した主遊技情報に基づいて、可変入賞口開放遊技を行うか否かの判定を行う特別遊技判定手段と、
遊技が行われていない状況で所定時間が経過した場合に遊技待機演出を行う演出制御手段と、
遊技に係る情報を報知する報知手段と、
設定値を設定可能な設定変更状態と、
設定値を確認可能な設定表示状態と
を有し、
設定値として１つの設定値のみを有しており、
設定変更状態では、前記１つの設定値のみが設定可能に構成され、
設定変更状態及び設定表示状態では、前記所定時間が経過した場合においても、前記遊技待機演出を行わないよう構成されている
ことを特徴とするぱちんこ遊技機である。
＜付記＞
尚、本態様とは異なる別態様について以下に列記しておくが、これらには何ら限定されることなく実施することが可能である。
本別態様に係るぱちんこ遊技機は、
遊技球が入球可能な第一始動口（例えば、第１主遊技始動口Ａ１０）と、
遊技球が入球可能な第二始動口（例えば、第２主遊技始動口Ｂ１０）と、
閉状態と開状態とを採り得る可変入賞口（例えば、大入賞口Ｃ１０）と、
第一主遊技識別情報を表示可能な第一主遊技識別情報表示部（例えば、第１主遊技図柄表示部Ａ２１ｇ）と、
第二主遊技識別情報を表示可能な第二主遊技識別情報表示部（例えば、第２主遊技図柄表示部Ｂ２１ｇ）と、
遊技の進行を制御する主遊技部（例えば、主制御基板Ｍ）と、
演出を表示可能な演出表示部（例えば、演出表示装置ＳＧ）と、
演出表示部への演出表示を制御する副遊技部（例えば、副制御基板Ｓ）と
を備え、
主遊技部は、
第一始動口（例えば、第１主遊技始動口Ａ１０）への入球に基づき、第一主遊技識別情報表示部（例えば、第１主遊技図柄表示部Ａ２１ｇ）にて第一主遊技識別情報を変動表示した後、第一主遊技識別情報を停止表示するよう制御する第一主遊技識別情報表示制御手段と、
第二始動口（例えば、第２主遊技始動口Ｂ１０）への入球に基づき、第二主遊技識別情報表示部（例えば、第２主遊技図柄表示部Ｂ２１ｇ）にて第二主遊技識別情報を変動表示した後、第二主遊技識別情報を停止表示するよう制御する第二主遊技識別情報表示制御手段と、
第一主遊技識別情報又は第二主遊技識別情報が所定態様にて停止表示された後、遊技者にとって有利となり得る特別遊技を実行する特別遊技制御手段と、
を有し、
第一始動口又は第二始動口への入球に基づき、抽選処理を実行するよう構成され、
複数の設定値から一の設定値を選択可能であり、各設定値において前記抽選処理の実行結果が相違し得るよう構成されており、
副遊技部は、
所定の条件を満たした場合に、演出表示部において設定値を示唆するための設定示唆演出を実行可能である
ことを特徴とするぱちんこ遊技機である。
【手続補正書】
【提出日】令和2年6月25日(2020.6.25)
【手続補正１】
【補正対象書類名】特許請求の範囲
【補正対象項目名】全文
【補正方法】変更
【補正の内容】
【特許請求の範囲】
【請求項１】
ガイド部を有する第１パーツと、
前記第１パーツの一端部に揺動自在に接続された第２パーツと、
前記第２パーツの一端部に接続された第３パーツと、
前記第２パーツの他端部と係合する係合部を有し、前記ガイド部に沿って移動可能な第４パーツと、
前記第１パーツの他端部に回動可能に接続され、前記第４パーツが移動することで回動可能な外装パーツと、
を備える人形玩具。
【請求項２】
前記係合部は、前記ガイド部に沿った方向と交差する方向に長い、前記第２パーツの他端部を回動自在に係合する長孔であり、
前記第２パーツの他端部が前記長孔の両端間を移動する際に前記第２パーツの揺動運動と前記第４パーツの移動運動とが変換される、
請求項１に記載の人形玩具。
【請求項３】
前記第３パーツは、一端部が、前記第２パーツの一端部に接続されており、他端部が、前記人形玩具の所定部位に接続されており、
前記第２パーツの揺動によって、前記第１パーツと前記所定部位との間の距離が変化する、
請求項１又は２に記載の人形玩具。
【請求項４】
前記第４パーツは、前記ガイド部に沿って移動することで退行状態と進出状態とに状態遷移可能であり、前記第４パーツが前記進出状態に遷移する際に前記第４パーツが接触することで回動する第６パーツと、
前記第６パーツに接続された第３外装パーツ、
を備えた請求項１〜３の何れか一項に記載の人形玩具。
【請求項５】
前記第６パーツには、１以上のその他のパーツが接続されており、
前記その他のパーツは、前記第４パーツの接触による前記第６パーツの回動時に、前記第６パーツと一体となって回動する、
請求項４に記載の人形玩具。
【請求項６】
前記第１パーツと前記外装パーツとの間に第５パーツを備え、
前記第５パーツは、前記第１パーツの他端部に回動可能に接続され、
前記外装パーツは、前記第５パーツに装着され前記第５パーツとともに回動する、
請求項１〜５の何れか一項に記載の人形玩具。
【請求項７】
前記人形玩具は組み立て玩具であり、
前記第１パーツと、前記第２パーツと、前記第３パーツとが、インサート成形により組み立て不要に成形されている、
請求項１〜６の何れか一項に記載の人形玩具。
【請求項８】
前記人形玩具は組み立て玩具であり、
前記第１パーツと、前記第２パーツと、前記第３パーツと、前記第５パーツがインサート成形により組み立て不要に成形されている、
請求項１〜６の何れか一項に記載の人形玩具。
【手続補正２】
【補正対象書類名】明細書
【補正対象項目名】０００８
【補正方法】変更
【補正の内容】
【０００８】
本発明は、ガイド部を有する第１パーツと、前記第１パーツの一端部に揺動自在に接続された第２パーツと、前記第２パーツの一端部に接続された第３パーツと、前記第２パーツの他端部と係合する係合部を有し、前記ガイド部に沿って移動することで退行状態と進出状態とに状態遷移可能な第４パーツと、前記第３パーツに接続された第１外装パーツと、前記第１パーツの他端部に回動可能に接続され、前記第４パーツが前記進出状態に遷移する際に前記第４パーツが接触することで回動する第２外装パーツと、を備え、前記第１外装パーツを動かした場合の操作力が、前記第３パーツを介して前記第２パーツに伝達されて前記第２パーツが揺動し、前記第２パーツの揺動による前記係合部への作用力によって前記第４パーツが前記ガイド部に沿って移動する、人形玩具である。また、本発明は、ガイド部を有する第１パーツと、前記第１パーツの一端部に揺動自在に接続された第２パーツと、前記第２パーツの一端部に接続された第３パーツと、前記第２パーツの他端部と係合する係合部を有し、前記ガイド部に沿って移動可能な第４パーツと、前記第１パーツの他端部に回動可能に接続され、前記第４パーツが移動することで回動可能な外装パーツと、を備える人形玩具である。
【手続補正書】
【提出日】令和1年11月1日(2019.11.1)
【手続補正１】
【補正対象書類名】特許請求の範囲
【補正対象項目名】請求項１
【補正方法】変更
【補正の内容】
【請求項１】
所定の容積で外部に配した加熱源により収容した油が加熱される油槽に対し、油槽内面に接触しないよう上部を前記油槽縁もしくは油槽の支持フレームに電気的絶縁状態で保持させて油の中に電極を配設し、前記電極を外部に設けた低周波高電圧発生装置と接続して低周波で高電圧を印加することにより油中に電界が形成される構成とし、前記電極は外周面に遠赤外線放射体を含む耐熱性電気絶縁樹脂層で被覆形成されて油槽開放面に向かって展開する構成とされていることを特徴とするフライヤー。
【手続補正書】
【提出日】令和2年6月4日(2020.6.4)
【手続補正１】
【補正対象書類名】特許請求の範囲
【補正対象項目名】全文
【補正方法】変更
【補正の内容】
【特許請求の範囲】
【請求項１】
表示部を備えるヘッドマウントデバイスを介してユーザに仮想空間を提供するためにコンピュータにより実行される情報処理方法であって、
前記ユーザに関連付けられたキャラクタオブジェクトと頭部および前記頭部の下側に位置する胴体部を有する攻撃対象オブジェクトと前記キャラクタオブジェクトが配置される足場オブジェクトを少なくとも含み、基準面が定義された仮想空間を提供するステップと、
前記ユーザの動きを取得し、当該ユーザの動きに基づいて、前記仮想空間における前記キャラクタオブジェクトの動作を制御するステップと、
前記仮想空間における前記攻撃対象オブジェクトの動作を制御するステップと、
前記攻撃対象オブジェクトの動作、前記キャラクタオブジェクトの動作、および前記仮想空間を含む前記キャラクタオブジェクトからの視界画像または前記キャラクタオブジェクトの背後からの視界画像を、前記表示部に表示するステップと、
を備え、
前記仮想空間において前記足場オブジェクトの上側に前記キャラクタオブジェクトが配置された場合、前記基準面から前記キャラクタオブジェクトの頂部までの長さは、前記基準面から前記攻撃対象オブジェクトの頂部までの長さよりも小さく、前記胴体部と前記キャラクタオブジェクトの間の長さのうち前記基準面に平行な成分の長さは前記基準面から離れるにつれて小さくなる割合が増える、情報処理方法。
【請求項２】
前記攻撃対象オブジェクトの動作を制御するステップにおいて、
前記攻撃対象オブジェクトの前記キャラクタオブジェクトに対する攻撃動作時においては、前記攻撃対象オブジェクトの頭部を、前記キャラクタオブジェクトに向けて動かして、前記キャラクタオブジェクトに近づけるように制御する、請求項１に記載の情報処理方法。
【請求項３】
前記攻撃対象オブジェクトの動作を制御するステップにおいて、
前記攻撃対象オブジェクトが前記キャラクタオブジェクトに対して攻撃するときには、前記攻撃対象オブジェクトの攻撃発動部分が前記キャラクタオブジェクトを囲むように制御する、
請求項１または２に記載の情報処理方法。
【請求項４】
請求項１または３に記載の情報処理方法をコンピュータに実行させる、プログラム。
【請求項５】
少なくともメモリと、前記メモリに結合されたプロセッサとを備え、前記プロセッサの制御により請求項１〜４のいずれかの情報処理方法を実行する、装置。
【手続補正書】
【提出日】令和2年6月18日(2020.6.18)
【手続補正１】
【補正対象書類名】特許請求の範囲
【補正対象項目名】請求項６
【補正方法】変更
【補正の内容】
【請求項６】
前記張力付与手段は、前記ミラー部の表面に沿って前記光源に対して平行な第３方向に張力を付与する第３張力付与機構、又は該第３方向と相反する第４方向に張力を付与する第４張力付与機構の少なくともいずれか一方を有することを特徴とする請求項１から請求項５のいずれか一項に記載の光照射装置。
【手続補正２】
【補正対象書類名】明細書
【補正対象項目名】００５５
【補正方法】変更
【補正の内容】
【００５５】
図９（ｂ）に示すように、張力付与機構５４０は、張力付与機構５３０を、Ｙ軸を中心に１８０°回転させたものであり、ばね押え６００が、張力付与機構５３０を収容し、上面パネル１０１の傾斜面１０１ａの凹部１０１ｃを覆うように取り付けられる。そして、ばね押え６００が取り付けられるとき、係合部６０３が反射ミラー３０１の貫通穴３０１ｂａを通り、凹部１０１ｃと係合するようになっている。そして、ばね押え６００が取り付けられると、張力付与機構５４０が、係合部６０３と貫通穴３０１ｂａの端部３０１ｂｂとの間に、圧縮された状態で狭持され、反射ミラー３０１の貫通穴３０１ｂａの端部３０１ｂｂをＸ軸の負方向側に付勢するように構成されている。つまり、張力付与機構５４０の一端部５４０ａが係合部６０３に当接し、張力付与機構５４０の他端部５４０ｂが貫通穴３０１ｂａの端部３０１ｂｂに当接することで、反射ミラー３０１にＸ軸の負方向に向かう張力が付与される。
【手続補正書】
【提出日】令和2年6月8日(2020.6.8)
【手続補正１】
【補正対象書類名】特許請求の範囲
【補正対象項目名】全文
【補正方法】変更
【補正の内容】
【特許請求の範囲】
【請求項１】
外部装置からデータを受信する受信手段と、
受信された前記データに基づく処理を実行する手段と、
受信された前記データが所定のプロトコルに則ったデータであるか否かを判定する判定手段と、
前記判定手段により前記データが前記所定のプロトコルに則ったデータであると判定された場合、前記外部装置との接続を継続し、前記データが前記所定のプロトコルに則ったデータでないと判定された場合、前記外部装置との接続を切断する制御手段と、
を有することを特徴とする画像形成装置。
【請求項２】
前記判定手段は、前記データで指定されるポートが所定の番号のポートである場合、前記データが前記所定のプロトコルに則ったデータであるか否かを判定することを特徴とする請求項１記載の画像形成装置。
【請求項３】
前記所定のプロトコルは、ＩＰＰ（Ｉｎｔｅｒｎｅｔ  Ｐｒｉｎｔｉｎｇ  Ｐｒｏｔｏｃｏｌ）であることを特徴とする請求項１または２に記載の画像形成装置。
【請求項４】
前記所定のプロトコルに則っていると判定された前記データのフォーマットが所定のフォーマットであるか否かを判定する他の判定手段をさらに有し、
前記制御手段は、前記所定のプロトコルに則っていると判定された前記データのフォーマットが前記所定のフォーマットであると判定された場合、前記外部装置との接続を継続し、前記所定のプロトコルに則っていると判定された前記データのフォーマットが前記所定のフォーマットでないと判定された場合、前記外部装置との接続を切断することを特徴とする請求項１乃至３のいずれか１項に記載の画像形成装置。
【請求項５】
前記所定のフォーマットは、ＰＤＦ（Ｐｏｒｔａｂｌｅ  Ｄｏｃｕｍｅｎｔ  Ｆｏｒｍａｔ）、又はラスタ画像である請求項４記載の画像形成装置。
【請求項６】
前記制御手段は、受信された前記データが前記所定のプロトコルに則っていると判定されたことに基づき、前記外部装置との接続を継続する要求を前記外部装置に送信し、受信された前記データが前記所定のプロトコルに則っていないと判定されたことに基づき、前記外部装置との接続を切断する要求を前記外部装置に送信することを特徴とする請求項１乃至５のいずれか１項に記載の画像形成装置。
【請求項７】
前記制御手段は、受信された前記データが前記所定のプロトコルに則っていると判定されたことに基づき、受信された前記データへの応答が完了しても前記外部装置との接続を継続し、受信された前記データが前記所定のプロトコルに則っていないと判定されたことに基づき、受信された前記データへの応答を完了した後、前記外部装置との接続を切断することを特徴とする請求項１乃至６のいずれか１項に記載の画像形成装置。
【請求項８】
前記制御手段は、前記所定のプロトコルに則っていると判定された前記データに基づく印刷が完了したことに基づき、前記外部装置との接続を切断することを特徴とする請求項１乃至７のいずれか１項に記載の画像形成装置。
【請求項９】
前記制御手段は、受信された前記データが前記所定のプロトコルに則っていない場合、受信された前記データに基づく印刷が完了したか否かに関わらず、前記外部装置との接続を切断することを特徴とする請求項１乃至８のいずれか１項に記載の画像形成装置。
【請求項１０】
前記受信手段は、前記外部装置から接続の切断要求を受信し、
前記制御手段は、前記切断要求の受信に基づき、前記外部装置との接続を切断することを特徴とする請求項１乃至９のいずれか１項に記載の画像形成装置。
【請求項１１】
前記データに基づく処理を実行する手段は、受信された前記データが印刷データである場合、前記印刷データに基づく印刷を実行し、
前記制御手段は、受信された前記データが前記所定のプロトコルに則っていると判定されたことに基づき、前記印刷データを受信したことを示す応答を前記画像形成装置との接続を継続する要求とともに前記外部装置に送信し、受信された前記データが前記所定のプロトコルに則っていないと判定されたこと基づき、前記応答を前記画像形成装置との接続を切断する要求とともに前記外部装置に送信することを特徴とする請求項１乃至１０のいずれか１項に記載の画像形成装置。
【請求項１２】
前記データに基づく処理を実行する手段は、受信された前記データが前記外部装置から受信された印刷データに基づく印刷の実行状況を問い合わせるデータである場合、前記印刷データに基づく印刷の実行状況を示す応答を生成し、
前記制御手段は、受信された前記データが前記所定のプロトコルに則っていると判定されたことに基づき、前記応答を前記画像形成装置との接続を継続する要求とともに前記外部装置に送信し、受信された前記データが前記所定のプロトコルに則っていないと判定されたことに基づき、前記応答を前記画像形成装置との接続を切断する要求とともに前記外部装置に送信することを特徴とする請求項１乃至１０のいずれか１項に記載の画像形成装置。
【請求項１３】
外部装置からデータを受信する受信工程と、
受信された前記データが所定のプロトコルに則ったデータであるか否かを判定する判定工程と、
受信された前記データが前記所定のプロトコルに則ったデータであると判定されたことに基づき、前記外部装置との接続を継続する制御工程と、
受信された前記データが前記所定のプロトコルに則ったデータでないと判定されたことに基づき、前記外部装置との接続を切断する切断工程と、
を有することを特徴とする画像形成装置の制御方法。
【請求項１４】
コンピュータを、請求項１乃至１２のいずれか１項に記載の画像形成装置の各手段として機能させるためのプログラム。
【手続補正２】
【補正対象書類名】明細書
【補正対象項目名】発明の名称
【補正方法】変更
【補正の内容】
【発明の名称】画像形成装置、画像形成装置の制御方法及びプログラム
【手続補正３】
【補正対象書類名】明細書
【補正対象項目名】０００１
【補正方法】変更
【補正の内容】
【０００１】
本発明は、画像形成装置、画像形成装置の制御方法及びプログラムに関する。
【手続補正４】
【補正対象書類名】明細書
【補正対象項目名】０００５
【補正方法】変更
【補正の内容】
【０００５】
本発明は、外部装置からデータを受信する受信手段と、受信された前記データに基づく処理を実行する手段と、受信された前記データが所定のプロトコルに則ったデータであるか否かを判定する判定手段と、前記判定手段により前記データが前記所定のプロトコルに則ったデータであると判定された場合、前記外部装置との接続を継続し、前記データが前記所定のプロトコルに則ったデータでないと判定された場合、前記外部装置との接続を切断する制御手段と、を有することを特徴とする。
【手続補正書】
【提出日】令和2年5月25日(2020.5.25)
【手続補正１】
【補正対象書類名】特許請求の範囲
【補正対象項目名】請求項９
【補正方法】変更
【補正の内容】
【請求項９】
請求項１乃至８のいずれか１項に記載の液体吐出ヘッド用基板を備える液体吐出ヘッドであって、前記支持基板の第一面上に、前記単位毎に前記一対の独立液室に連通する一つの圧力発生室と、該圧力発生室に連通する吐出口を備える部材を有し、前記第一及び第二の共通液室の一方から他方に向けて、前記一対の独立液室を介して前記圧力発生室内の液体を循環可能であることを特徴とする液体吐出ヘッド。
【手続補正書】
【提出日】令和2年6月10日(2020.6.10)
【手続補正１】
【補正対象書類名】特許請求の範囲
【補正対象項目名】全文
【補正方法】変更
【補正の内容】
【特許請求の範囲】
【請求項１】
第１の記録素子と、
第２の記録素子と、
前記第１の記録素子を被覆する第１の被覆層と、
前記第２の記録素子を被覆する第２の被覆層と、
前記第１の記録素子と前記第１の被覆層との間に設けられるとともに、前記第２の記録素子と前記第２の被覆層との間に設けられた絶縁層と、
前記第１の被覆層および前記第２の被覆層と電気的に接続された共通配線層と、
前記第１の被覆層と前記共通配線層とを接続するための第１のヒューズ部と、前記第２の被覆層と前記共通配線層とを接続するための第２のヒューズ部と、を形成するヒューズ部層と、
有する液体吐出ヘッド用基板において、
前記共通配線層は前記ヒューズ部層よりも単位長さあたりの電気抵抗が低く、前記共通配線層と前記ヒューズ部層とは積層方向において異なる層として形成され、前記共通配線層の前記ヒューズ部層と対向する第１の面の一部と、前記ヒューズ部層の前記共通配線層と対向する第２の面の一部とが接していることを特徴とする液体吐出ヘッド用基板。
【請求項２】
前記共通配線層は、前記ヒューズ部層よりも厚みが大きい、請求項１に記載の液体吐出ヘッド用基板。
【請求項３】
前記ヒューズ部は、前記ヒューズ部層において幅が部分的に細く形成されている、請求項１または請求項２に記載の液体吐出ヘッド用基板。
【請求項４】
前記共通配線層と前記ヒューズ部層との間に設けられた前記絶縁層とは別の絶縁層を有する、請求項１乃至請求項３のいずれか一項に記載の液体吐出ヘッド用基板。
【請求項５】
前記絶縁層は窒化珪素を含み、前記別の絶縁層は窒炭化珪素を含む、請求項４に記載の液体吐出ヘッド用基板。
【請求項６】
前記共通配線層と前記ヒューズ部層とが同じ材料を含む、請求項１乃至請求項５のいずれか一項に記載の液体吐出ヘッド用基板。
【請求項７】
前記第１の被覆層よりも厚みが大きい、請求項１乃至請求項６のいずれか一項に記載の液体吐出ヘッド用基板。
【請求項８】
前記共通配線層と前記第１の被覆層とは同じ材料を含み、
前記共通配線層は複数の層が積層されて構成されており、
前記第１の被覆層は前記共通配線層を構成する前記複数の層よりも少ない数の層で構成されている、請求項１乃至請求項７のいずれか一項に記載の液体吐出ヘッド用基板。
【請求項９】
前記共通配線層は、イリジウム層と前記イリジウム層の表面が露出する貫通口が形成されたタンタル層とを含んでおり、
前記共通配線層は、前記イリジウム層の前記表面において前記ヒューズ部層と接続されている、請求項１乃至請求項８のいずれか一項に記載の液体吐出ヘッド用基板。
【請求項１０】
請求項４または請求項５に記載の液体吐出ヘッド用基板と、
前記第１の記録素子と前記第２の記録素子とにそれぞれ対応する吐出口が形成された吐出口部材と、
を有し、
前記別の絶縁層は前記吐出口部材と接している液体吐出ヘッド。
【請求項１１】
第１の記録素子と、
第２の記録素子と、
前記第１の記録素子を被覆する第１の被覆層と、
前記第２の記録素子を被覆する第２の被覆層と、
前記第１の記録素子と前記第１の被覆層との間に設けられるとともに、前記第２の記録素子と前記第２の被覆層との間に設けられた絶縁層と、
前記第１の被覆層および前記第２の被覆層と電気的に接続された共通配線層と、
前記第１の被覆層と前記共通配線層とを接続するための第１のヒューズ部と、前記第２の被覆層と前記共通配線層とを接続するための第２のヒューズ部と、を形成するヒューズ部層と、
を有する液体吐出ヘッド用基板の製造方法において、
前記共通配線層を形成する工程と、
前記共通配線層の前記ヒューズ部層と対向する第１の面の一部と、前記ヒューズ部層の前記共通配線層と対向する第２の面の一部とが接するように前記ヒューズ部層を形成する工程と、
を有し、
前記共通配線層は前記ヒューズ部層よりも単位長さあたりの電気抵抗が低いことを特徴とする液体吐出ヘッド用基板の製造方法。
【請求項１２】
前記共通配線層を形成する工程では、前記共通配線層を形成するとともに前記第１の被覆層を形成する、請求項１１に記載の液体吐出ヘッド用基板の製造方法。
【請求項１３】
前記共通配線層を形成する工程では、複数の層を積層して前記共通配線層と前記第１の被覆層とをそれぞれ形成し、前記第１の被覆層を構成する前記複数の層のうちの一部の層を除去する、請求項１１または請求項１２に記載の液体吐出ヘッド用基板の製造方法。
【手続補正２】
【補正対象書類名】明細書
【補正対象項目名】００１１
【補正方法】変更
【補正の内容】
【００１１】
本発明の液体吐出ヘッド用基板は、第１の記録素子と、第２の記録素子と、前記第１の記録素子を被覆する第１の被覆層と、前記第２の記録素子を被覆する第２の被覆層と、前記第１の記録素子と前記第１の被覆層との間に設けられるとともに、前記第２の記録素子と前記第２の被覆層との間に設けられた絶縁層と、前記第１の被覆層および前記第２の被覆層と電気的に接続された共通配線層と、前記第１の被覆層と前記共通配線層とを接続するための第１のヒューズ部と、前記第２の被覆層と前記共通配線層とを接続するための第２のヒューズ部と、を形成するヒューズ部層と、有する液体吐出ヘッド用基板において、前記共通配線層は前記ヒューズ部層よりも単位長さあたりの電気抵抗が低く、前記共通配線層と前記ヒューズ部層とは積層方向において異なる層として形成され、前記共通配線層の前記ヒューズ部層と対向する第１の面の一部と、前記ヒューズ部層の前記共通配線層と対向する第２の面の一部とが接していることを特徴とする。